【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
ネットワークに接続され、当該ネットワークを介してデータを送受信する通信装置であって、
前記ネットワークと接続する第１のインターフェイス手段と、
データ処理端末と接続する第２のインターフェイス手段と、
前記ネットワーク上のネットワーク端末のネットワークアドレスと物理アドレスとの対応関係を登録する登録手段と、
前記第２のインターフェイス手段を介して前記データ処理端末からアドレス解決要求メッセージを受信した場合に、当該アドレス解決要求メッセージの問い合わせ対象のネットワークアドレスに対応する物理アドレスが前記登録手段に登録されているかどうかを判別する判別手段と、
前記判別手段による判別の結果、前記データ処理端末から受信したアドレス解決要求メッセージの問い合わせ対象のネットワークアドレスに対応する物理アドレスが前記登録手段に登録されていると判別された場合に、当該対応する物理アドレスを含むアドレス解決応答メッセージを、前記第２のインターフェイス手段を介して前記データ処理端末に送信する応答メッセージ送信手段と、
前記判別手段による判別の結果、前記データ処理端末から受信したアドレス解決要求メッセージの問い合わせ対象のネットワークアドレスに対応する物理アドレスが前記登録手段に登録されていないと判別された場合に、前記データ処理端末から受信したアドレス解決要求メッセージを、前記第１のインターフェイス手段を介して前記ネットワークに転送する要求メッセージ転送手段と、
を有することを特徴とする通信装置。
【請求項２】
前記第１のインターフェイス手段を介して前記ネットワークからアドレス解決要求メッセージを受信した場合に、当該アドレス解決要求メッセージが前記通信装置のネットワークアドレス宛であるか否かを判断する判断手段と、
前記判断手段による判断の結果、前記ネットワークから受信したアドレス解決要求メッセージが前記通信装置のネットワークアドレス宛であると判断された場合に、前記通信装置の物理アドレスを含むアドレス解決応答メッセージを、前記第１のインターフェイス手段を介して、前記ネットワークから受信したアドレス解決要求メッセージの送信元のネットワーク端末に対して送信する応答手段とを更に有することを特徴とする請求項１に記載の通信装置。
【請求項３】
前記第１のインターフェイス手段を介して前記ネットワークからアドレス解決応答メッセージを受信した場合に、当該アドレス解決応答メッセージを、前記第２のインターフェイス手段を介して前記データ処理端末に転送する応答メッセージ転送手段を更に有し、
前記応答メッセージ転送手段が前記ネットワークから受信したアドレス解決応答メッセージを転送する際に、前記登録手段は、当該転送されるアドレス解決応答メッセージに含まれているネットワーク端末のネットワークアドレスと物理アドレスとの対応関係を新たに登録することを特徴とする請求項１又は２に記載の通信装置。
【請求項４】
前記データ処理端末から前記第２のインターフェイス手段を介して送信された送信データを、前記第１のインターフェイス手段を介して前記ネットワークに転送し、また前記ネットワークから前記第１のインターフェイス手段を介して受信した受信データを、前記第２のインターフェイス手段を介して前記データ処理端末に転送する転送手段を更に有することを特徴とする請求項１乃至３のいずれか１項に記載の通信装置。
【請求項５】
第１のインターフェイス手段を介してネットワークに接続されるとともに、第２のインターフェイス手段を介してデータ処理端末に接続され、前記ネットワークを介してデータを送受信する通信装置における通信制御方法であって、
前記ネットワーク上のネットワーク端末のネットワークアドレスと物理アドレスとの対応関係をメモリに登録する登録工程と、
前記第２のインターフェイス手段を介して前記データ処理端末からアドレス解決要求メッセージを受信した場合に、当該アドレス解決要求メッセージの問い合わせ対象のネットワークアドレスに対応する物理アドレスが前記メモリに登録されているかどうかを判別する判別工程と、
前記判別工程における判別の結果、前記データ処理端末から受信したアドレス解決要求メッセージの問い合わせ対象のネットワークアドレスに対応する物理アドレスが前記メモリに登録されていると判別された場合に、当該対応する物理アドレスを含むアドレス解決応答メッセージを、前記第２のインターフェイス手段を介して前記データ処理端末に送信する応答メッセージ送信工程と、
前記判別工程における判別の結果、前記データ処理端末から受信したアドレス解決要求メッセージの問い合わせ対象のネットワークアドレスに対応する物理アドレスが前記メモリに登録されていないと判別された場合に、前記データ処理端末から受信したアドレス解決要求メッセージを、前記第１のインターフェイス手段を介して前記ネットワークに転送する要求メッセージ転送工程と、
を有することを特徴とする通信制御方法。
【請求項６】
前記第１のインターフェイス手段を介して前記ネットワークからアドレス解決要求メッセージを受信した場合に、当該アドレス解決要求メッセージが前記通信装置のネットワークアドレス宛であるか否かを判断する判断工程と、
前記判断工程における判断の結果、前記ネットワークから受信したアドレス解決要求メッセージが前記通信装置のネットワークアドレス宛であると判断された場合に、前記通信装置の物理アドレスを含むアドレス解決応答メッセージを、前記第１のインターフェイス手段を介して、前記ネットワークから受信したアドレス解決要求メッセージの送信元のネットワーク端末に対して送信する応答工程とを更に有することを特徴とする請求項５に記載の通信制御方法。
【請求項７】
前記第１のインターフェイス手段を介して前記ネットワークからアドレス解決応答メッセージを受信した場合に、当該アドレス解決応答メッセージを、前記第２のインターフェイス手段を介して前記データ処理端末に転送する応答メッセージ転送工程を更に有し、
前記応答メッセージ転送工程で前記ネットワークから受信したアドレス解決応答メッセージを転送する際に、前記登録工程で、当該転送されるアドレス解決応答メッセージに含まれているネットワーク端末のネットワークアドレスと物理アドレスとの対応関係を新たに前記メモリに登録することを特徴とする請求項５又は６に記載の通信制御方法。
【請求項８】
前記データ処理端末から前記第２のインターフェイス手段を介して送信された送信データを、前記第１のインターフェイス手段を介して前記ネットワークに転送し、また前記ネットワークから前記第１のインターフェイス手段を介して受信した受信データを、前記第２のインターフェイス手段を介して前記データ処理端末に転送する転送工程を更に有することを特徴とする請求項５乃至７のいずれか１項に記載の通信制御方法。
【請求項９】
請求項５乃至８のいずれか１項に記載の通信制御方法をコンピュータに実行させるためのプログラム。
【請求項１０】
請求項９に記載のプログラムを記憶していることを特徴とする、コンピュータにより読取り可能な記憶媒体。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】変更
【補正の内容】
【００１６】
本発明の一態様に係る通信装置は以下のような構成を備える。即ち、
ネットワークに接続され、当該ネットワークを介してデータを送受信する通信装置であって、
前記ネットワークと接続する第１のインターフェイス手段と、
データ処理端末と接続する第２のインターフェイス手段と、
前記ネットワーク上のネットワーク端末のネットワークアドレスと物理アドレスとの対応関係を登録する登録手段と、
前記第２のインターフェイス手段を介して前記データ処理端末からアドレス解決要求メッセージを受信した場合に、当該アドレス解決要求メッセージの問い合わせ対象のネットワークアドレスに対応する物理アドレスが前記登録手段に登録されているかどうかを判別する判別手段と、
前記判別手段による判別の結果、前記データ処理端末から受信したアドレス解決要求メッセージの問い合わせ対象のネットワークアドレスに対応する物理アドレスが前記登録手段に登録されていると判別された場合に、当該対応する物理アドレスを含むアドレス解決応答メッセージを、前記第２のインターフェイス手段を介して前記データ処理端末に送信する応答メッセージ送信手段と、
前記判別手段による判別の結果、前記データ処理端末から受信したアドレス解決要求メッセージの問い合わせ対象のネットワークアドレスに対応する物理アドレスが前記登録手段に登録されていないと判別された場合に、前記データ処理端末から受信したアドレス解決要求メッセージを、前記第１のインターフェイス手段を介して前記ネットワークに転送する要求メッセージ転送手段とを有することを特徴とする。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
本発明の一態様に係る通信装の通信制御方法置は以下のような工程を備える。即ち、
第１のインターフェイス手段を介してネットワークに接続されるとともに、第２のインターフェイス手段を介してデータ処理端末に接続され、前記ネットワークを介してデータを送受信する通信装置における通信制御方法であって、
前記ネットワーク上のネットワーク端末のネットワークアドレスと物理アドレスとの対応関係をメモリに登録する登録工程と、
前記第２のインターフェイス手段を介して前記データ処理端末からアドレス解決要求メッセージを受信した場合に、当該アドレス解決要求メッセージの問い合わせ対象のネットワークアドレスに対応する物理アドレスが前記メモリに登録されているかどうかを判別する判別工程と、
前記判別工程における判別の結果、前記データ処理端末から受信したアドレス解決要求メッセージの問い合わせ対象のネットワークアドレスに対応する物理アドレスが前記メモリに登録されていると判別された場合に、当該対応する物理アドレスを含むアドレス解決応答メッセージを、前記第２のインターフェイス手段を介して前記データ処理端末に送信する応答メッセージ送信工程と、
前記判別工程における判別の結果、前記データ処理端末から受信したアドレス解決要求メッセージの問い合わせ対象のネットワークアドレスに対応する物理アドレスが前記メモリに登録されていないと判別された場合に、前記データ処理端末から受信したアドレス解決要求メッセージを、前記第１のインターフェイス手段を介して前記ネットワークに転送する要求メッセージ転送工程と、を有することを特徴とする。
【手続補正６】
【補正対象書類名】明細書
【補正対象項目名】００１９
【補正方法】削除
【補正の内容】